(57)【要約】【課題】  プラズマから発生するデブリ粒子によって、光源装置内のミラーが劣化するのを防ぐことを目的とする。【解決手段】  本発明のＥＵＶ露光装置は、プラズマを生成する手段と、前記プラズマから発する光を反射するミラーと、前記プラズマと前記ミラーとの間に、前記光が発光する発光中心を通る軸を中心として放射状に配置された複数の板状部材と、前記プラズマと前記ミラーとの間に磁力線を発生させる磁場発生手段と、を備えており、前記プラズマと前記ミラーとの間の第１位置における前記磁力線の方向が、前記軸と同一平面内で且つ前記第１位置における前記発光点からの放射方向と垂直な成分を有しており、前記第１位置が、前記複数の板状部材で挟まれた第１空間内或いは前記第１空間と前記プラズマとの間の第２空間内のいずれかに位置していることを特徴としている。【選択図】  図１
2007273749.tif 000002
【特許請求の範囲】
【請求項１】
プラズマを生成する手段と、
前記プラズマから発する光を反射するミラーと、
前記プラズマと前記ミラーとの間に、前記光が発光する発光中心を通る軸を中心として放射状に配置された複数の板状部材と、
前記プラズマと前記ミラーとの間に磁力線を発生させる磁場発生手段と、
を備えており、
前記プラズマと前記ミラーとの間の第１位置における前記磁力線の方向が、前記軸と同一平面内であって且つ前記第１位置における前記発光点からの放射方向と垂直な成分を有しており、
前記第１位置が、前記複数の板状部材で挟まれた第１空間内或いは前記第１空間と前記プラズマとの間の第２空間内のいずれかに位置していることを特徴とする光源装置。
【請求項２】
前記複数の板状部材のうちの第１板状部材と前記軸とを通る平面を第１平面、前記複数の板状部材のうち第２板状部材と前記軸とを通る平面を第２平面とするとき、
前記第１平面と前記第２平面との交線と、前記ミラーの光軸とがなす角度の鋭角側が、６０度よりも大きいことを特徴とする請求項１記載の光源装置。
【請求項３】
前記磁力線が、前記第１平面及び前記第２平面に対して平行であることを特徴とする請求項２記載の光源装置。
【請求項４】
前記軸が、前記ミラーの光軸とのなす角度の鋭角側が、６０度よりも大きいことを特徴とする請求項２又は３記載の光源装置。
【請求項５】
前記磁力線が、前記軸上の、前記発光中心とは異なる点を中心として放射状に伸びる磁力線であることを特徴とする請求項１乃至４いずれかに記載の光源装置。
【請求項６】
前記と、前記ミラーの光軸とがなす角度の鋭角側が、３０度よりも小さいことを特徴とする請求項５記載の光源装置。
【請求項７】
前記磁力線の方向が、前記複数の板状部材となす角度が、いずれも３０度以下であることを特徴とする請求項１乃至６いずれかに記載の光源装置。
【請求項８】
前記磁場発生手段が、複数の永久磁石を有しており、
前記複数の永久磁石が、前記プラズマから発し前記ミラーで反射された光の光路よりも前記ミラーの光軸側に配置されていることを特徴とする請求項１乃至７いずれかに記載の光源装置。
【請求項９】
前記複数の板状部材がなす角度の鋭角側が３０度以下であることを特徴とする請求項１乃至８いずれかに記載の光源装置。
【請求項１０】
プラズマを生成する手段と、
前記プラズマから発する光を反射するミラーと、
前記プラズマと前記ミラーとの間に、前記光が発光する発光中心を通る軸を中心として放射状に配置された複数の板状部材と、
前記プラズマと前記ミラーとの間に磁力線を発生させ、前記プラズマから飛散する荷電粒子の移動軌跡を前記複数の板状部材の方向に曲げる前記磁場発生手段と、
を有していることを特徴とする光源装置。
【請求項１１】
請求項１乃至１０いずれかに記載の光源装置からの光でパターンを照明する照明光学系と、
前記パターンからの光を被露光体に導く投影光学系と、
を有することを特徴とする露光装置。
【請求項１２】
請求項１１に記載の露光装置を用いて、前記被露光体を露光する工程と、
前記露光された被露光体を現像する工程と、
を有することを特徴とするデバイスの製造方法。
【発明の詳細な説明】
【技術分野】
【０００１】
本発明はプラズマを用いて光を発光させる光源、及びそれを用いた露光装置、デバイスの製造方法に関するものである。特に、ＥＵＶ光（約１０〜２０ｎｍ、好ましくは１３〜１４ｎｍ）を発光させる発光装置に関するものである。
【背景技術】
【０００２】
近年半導体製造装置では、光源の短波長かが進んでおり、次世代の露光装置としてはＥＵＶ光を用いた露光装置が注目を浴びている。
【０００３】
そのＥＵＶ露光装置で用いられる代表的なＥＵＶ光源の１つにレーザープラズマ光源（ＬＰＰ方式：Ｌａｓｅｒ  Ｐｒｏｄｕｃｅｄ  Ｐｌａｓｍａ）がある。図１０にその概略模式図を示す。この光源では、キセノン等のターゲット材に高強度のレーザー（通常数ｋＨｚの繰り返し周波数）を照射し、高温のプラズマを発生させている。そして、このプラズマから放射される波長１３ｎｍ程度のＥＵＶ光を取り出している。この取り出されたＥＵＶ光をＥＵＶ光を反射する多層膜ミラーで反射させて、露光装置の照明光学系に導いている。尚、ターゲット材としては、前述のキセノンの他に、金属などが用いられることが多い。
【０００４】
このような光源において、プラズマを発生させる際、ＥＵＶ光以外にデブリとよばれる不要な物質がプラズマから周辺に向かって飛散する。そのデブリの粒子が多層膜ミラーに付着したり、またそのデブリ粒子が多層膜ミラーに衝突することによって多層膜ミラーの多層膜を損傷させたりすることにより、多層膜ミラーの反射率が低下してしまう。
【０００５】
このようなミラー劣化を防止するための対策がいろいろ考えられている。例えば図１１に示した特許文献１には、プラズマ近傍に磁場を与えることによって、プラズマから飛散するデブリ粒子がミラーに到達するのを防止している。
【０００６】
この特許文献１では、ターゲット供給装置１０３がノズル１０４を通してターゲットを供給し、そのターゲットに対して駆動用レーザー１０１から発したレーザーを照射している。これによってプラズマ１１２が発生し、このプラズマ１１２から発するＥＵＶ光１１３を取り出している。ここで、コイル１０６、１０７に電流を流すことによって図１１の上下方向に磁界を与えている。このような構成とすることにより、プラズマ１１２から発するデブリ粒子（荷電粒子）が磁力線の回りを回りつつ上方向、或いは下方向に移動して、ミラーの外側に導かれる。このように、プラズマ１１２から飛散するデブリ粒子がミラーに到達するのを防いでいる。
【特許文献１】特開２００５−１９７４５６号公報
【発明の開示】
【発明が解決しようとする課題】
【０００７】
しかしながら、特許文献１に開示があるデブリ粒子除去方法では、相当強い磁界をかけない限り、プラズマから高速で飛散するデブリ粒子を捕捉することが難しい。逆に磁界を弱くしてしまうと、デブリ粒子が容易にミラーに到達してしまい、ミラーがすぐに劣化してしまう。
【０００８】
そこで、本発明は、プラズマから発生するデブリ粒子がミラーに到達するのを防ぐことができる光源装置、及びそれを用いた露光装置を提供することを目的とする。
【課題を解決するための手段】
【０００９】
上記目的を達成するために、本願発明の光源装置は、プラズマを生成する手段と、前記プラズマから発する光を反射するミラーと、前記プラズマと前記ミラーとの間に、前記光が発光する発光中心を通る軸を中心として放射状に配置された複数の板状部材と、前記プラズマと前記ミラーとの間に磁力線を発生させる磁場発生手段と、を備えており、前記プラズマと前記ミラーとの間の第１位置における前記磁力線の方向（ベクトル）が、前記軸と同一平面内で且つ前記第１位置における前記発光点からの放射方向と垂直な（ベクトル）成分を有しており、前記第１位置が、前記複数の板状部材で挟まれた第１空間内或いは前記第１空間と前記プラズマとの間の第２空間内のいずれかに位置していることを特徴としている。
【００１０】
また、本願発明の露光装置は、前述の光源装置からの光でパターンを照明する照明光学系と、前記パターンからの光を被露光体に導く投影光学系と、を有することを特徴としている。
【００１１】
また、本願発明のデバイスの製造方法は、前述の露光装置を用いて、前記被露光体を露光する工程と、前記露光された被露光体を現像する工程と、を有することを特徴としている。
【発明の効果】
【００１２】
本発明によれば、板状部材と磁場との組み合わせによって、プラズマから発生するより多くの荷電粒子を板状部材に捕捉する、或いは板状部材に衝突させることができるため、ミラーの劣化を抑制することができる。
【発明を実施するための最良の形態】
【００１３】
以下に、ＥＵＶ光（１０ｎｍ以上２０ｎｍ以下、好ましくは１３ｎｍ以上１４ｎｍ以下の波長の光）を発するＥＵＶ光源、特にＥＵＶ光源のデブリ除去に関する実施例について説明する。その他、このＥＵＶ光源を用いた露光装置、この露光装置を用いたデバイスの製造方法の実施例についても説明する。本実施例においては、光源はＬＰＰ方式の光源について記載するが、勿論ＤＰＰ方式の光源に関しても本実施例を適用することが可能であるし、その他本発明と同様の課題を有する如何なる装置（特に光源）にも適用可能である。また、本実施例は、ＥＵＶ光用の光源装置に限らず、プラズマを用いて光を発光させるあらゆる光源装置に適用可能である。
【００１４】
（第１実施例）
図１は第１実施例のＬＰＰ方式のレーザープラズマ光源の概略図である。本実施例では、図１に示したように、デブリフィルターが配置されている空間に磁界をかけた（磁場を与えた）ことがポイントである。ここでは、図１の紙面表側から裏側に向けて磁界をかけているが、その磁界の向きは逆であっても構わない。以下に詳細に説明する。
【００１５】
１は、ＹＡＧレーザー等のレーザー源であり、２はデブリフィルター、３はプラズマ（ＥＵＶ光の発光点）、４はリフレクター（多層膜ミラー）である。ここで、ターゲット供給手段によって供給されるターゲット（キセノンや錫等）に対してＹＡＧレーザーを照射することによりプラズマ３を生成している。そして、そのプラズマ３から発するＥＵＶ光をリフレクター４で反射させて、露光装置の照明光学系等に導いている。ここで、デブリフィルター２の直径（紙面上下方向の大きさ）は多層膜ミラー４の直径の３割以下（２割以下）であり、多層膜ミラーで反射された光束をデブリフィルター２が遮ることによる光量低下はほとんど考慮しなくても良い。ここで、ＥＵＶ光の発光点とは、プラズマにより発光するＥＵＶ光の発光領域（理想的な点では無く、直径が１μｍ以上１０００μｍ以下、好ましくは１０μｍ以上２００μｍ以下の径を持つ略球状の領域）の発光中心を意味している。このＥＵＶ光の発光中心とは、発光量及び発光位置を考慮した重心（発光重心）、発光位置のみを考慮した中心、ターゲット供給手段から供給されたターゲットの移動軌跡（の中心）とレーザーの光路（の中心）との交点のいずれかである。また、図１では、レーザー光がリフレクター（多層膜ミラー）の中心を通り、ターゲットが図１の紙面上方から供給されているが、この限りではない。例えば、レーザー光とターゲットの関係が逆でも構わないし、ターゲットの移動軌跡はリフレクターの光軸に対して略垂直であれば、どのような方向からターゲットを供給しても構わない。勿論、レーザー光の伝播方向とターゲットの供給方向を対向させても構わない。
【００１６】
９はデブリフィルターを構成するデブリ付着板であり、このデブリ付着板は発光点を中心に放射状（隣接するデブリ付着板が非平行）に複数枚配置されており、発光点から放射される光を極力遮光しないように配置されている。この図１においては、デブリ付着板は、ミラーの光軸に垂直（鋭角側が６０度、好ましくは８０度より大）で発光中心を通る直線から放射状に配置されている。言い方を変えると、プラズマ（発光中心）とリフレクターとの間の領域に配置された２つのデブリ付着板を通る２つの平面の交線が、発光中心を通っており、且つミラーの光軸に対して略垂直（鋭角側が６０度、好ましくは８０度より大）である。
【００１７】
このデブリ付着板は、プラズマ（１００００度近くになる）の近くに配置するため、タンタルやタングステン等の融点の高い（融点が２０００度以上）材料の薄板であることが好ましい。勿論それ以外の融点が高い材料の薄板であっても構わない。また、これらのデブリ付着板は、平板上の板であることが望ましいが、グリッド状の部材、或いは丈夫な膜で構成していても構わない。
【００１８】
この図１のような構成において、複数のデブリ付着板が配置されている領域（デブリ付着板で挟まれている空間）、及びその領域とプラズマとの間の領域、そしてプラズマ発生領域（発光領域）に対して図で示した方向に磁界をかけている。この磁界の磁力線は、前述の複数のデブリ付着板の両者に対して平行（両者のなす角度の鋭角側が３０度以下、好ましくは１０度以下）である。
【００１９】
次に、図１で示したデブリ付着板、ＥＵＶ光の伝播軌跡、プラズマ（発光点）から飛散するデブリ粒子の移動軌跡について図２を用いて説明する。
【００２０】
図２において、７は本実施例を適用しない場合のデブリ粒子等の汚染物質の移動軌跡、及び発光点３から発したＥＵＶ光の伝播軌跡を、８は本実施例を適用した場合の汚染物質の移動軌跡を示している。
【００２１】
このようなレーザープラズマ光源において、発光点から発した光（ＥＵＶ光）は、７のような光路を辿りリフレクター（多層膜ミラー）４に至り、リフレクター４で反射されて、露光装置の照明光学系等の後段の光学系に伝播される。
【００２２】
同様に、発光点３から飛散するデブリ等の汚染物質は、ＥＵＶ光と同様に７で示すような軌跡を辿り多層膜ミラー４に向かって移動する。しかしながら、レーザープラズマ光源のように、プラズマによって光を発する装置におけるデブリの大半は電荷を帯びている。電荷を帯びたデブリ粒子（荷電粒子）が図１の７の軌跡に沿って移動すると、磁界が紙面垂直方向にかけられているため、デブリ粒子には進行方向及び磁界と垂直な成分（図１の紙面内の方向の成分）のローレンツ力が加えられる。従って、デブリ粒子は、８のような移動軌跡を辿り、デブリ付着板に衝突し、その大半がデブリ付着板に付着する、もしくは運動エネルギーをほとんど失ってしまう。
【００２３】
このように、デブリ粒子が多層膜ミラーに向かって移動すると（デブリ粒子の速度ベクトルが多層膜ミラーの方向に進む成分を持っていると）、磁界の影響を受けて進路が曲げられて、デブリ付着板に衝突するように構成している。これによって、多層膜ミラー４に到達して多層膜ミラー４に付着するデブリ粒子の数を減らすことができ、多層膜ミラー４の反射率の低下を抑制することができる。もしデブリ粒子がデブリ付着板に付着せずに多層膜ミラー４に至ったとしても、そのデブリ粒子の運動エネルギーは格段に落ちているため、デブリ粒子が多層膜ミラーの多層膜に与えるダメージを格段に低下させることができる。従って、もしデブリ粒子がデブリ付着板に付着しなかったとしても、本実施例を適用することにより、多層膜ミラー４の性能劣化を防止（低減）することが可能となる。
【００２４】
また、デブリフィルター２を通り抜けてしまうデブリ粒子があったとしても、発光点から多層膜ミラー４に至るデブリ粒子の移動軌跡を長くすることができる。そのため、バッファーガス（ヘリウム、アルゴン、クリプトン等の不活性ガス、又はそれらの混合ガス）のガス分子との衝突確率を向上させることができる。バッファーガスのガス分子と衝突すれば、デブリ粒子の速度が落ちる、もしくは移動方向が変わるため、多層膜ミラー４に至るデブリ粒子の数を減らす、又は多層膜ミラー４と衝突する際の速度を落とすことができる。多層膜ミラーに至るデブリ粒子を減らしたり、多層膜ミラーに衝突する際のデブリ粒子の速度を落としたりすることができれば、多層膜ミラーの劣化（反射率の低下）を防止（低減）することができる。
【００２５】
ここで、デブリ付着板の配置と磁場との関係について詳細に説明する。図１に示した通り、デブリフィルターが配置されている空間及びその内側の空間全体に対して磁界が与えられている。
【００２６】
ここで、デブリフィルター２内の複数のデブリ付着板の配置に関する条件について図２を参照しながら述べる。これらのデブリ付着板は、発光点から発するＥＵＶ光を極力遮光せず、デブリフィルター２が配置された空間に与えられた磁場によって、荷電粒子を捕捉できるように配置すれば良い。具体的には以下の通りである。
【００２７】
（１）複数のデブリ付着板は、それぞれ発光点を含む平面内に配置されている。又は、複数のデブリ付着板が、発光点を含む共通の平面に対して垂直（互いのなす角度の鋭角側が６０度以上、好ましくは８０度以上）に配置されている。又は、発光中心を含む直線から放射状に（互いのなす角度の鋭角側が３０度以下、好ましくは１０度以下になるように）配置されている。
【００２８】
例えば、複数のデブリ付着板のうち（発光点を含む平面内に配置され、磁力線と略平行に配置されたデブリ付着板のうち）隣り合う第１デブリ付着板と第２デブリ付着板について述べる。第１デブリ付着板は発光点を含む第１平面内に配置されており、第２デブリ付着板は同じく発光点を含む第２平面内に配置されている。
【００２９】
当然ではあるが、第１（２）デブリ付着板には厚みがあるため、厳密には、第１（２）平面内に完全に含まれることはありえない。ここでは、第１（２）デブリ付着板（板厚方向とは垂直な面のうち一方、又は板厚方向の中間の面）をと第１（２）平面とのなす角度（法線同士がなす角度でも構わない）のうち鋭角側の角度が３０度（好ましくは１０度）未満であれば足りる。
【００３０】
また、前述の共通の平面とは、例えば図１、２の紙面のことであり、複数のデブリ付着板は、紙面に対して明らかに垂直に配置されている。勿論、この共通の平面と、デブリ付着板とのなす角度は必ずしも９０度である必要は無く、鋭角側が６０度以上（好ましくは８０度以上）で若干ばらつきを持っていても構わない。
【００３１】
（２）複数のデブリ付着板は、デブリフィルター２内の（少なくとも１つの）磁力線（又は、そのデブリ付着板近傍を通る磁力線）に対して略平行に（互いの角度が３０度、好ましくは１０度未満）配置されている。
【００３２】
この条件（２）をより広く考えると以下のように記載することができる。デブリ付着板を含む第１平面と別の（隣接する）デブリ付着板を含む第２平面との交線を含む平面において、発光中心からの放射方向とは異なる方向の磁力線を発生させる。言い換えると、その磁力線が、その平面内において発光中心からの放射方向と垂直な成分を持っていれば良い。この条件を満足すれば、プラズマから飛散するデブリ粒子（荷電粒子）をデブリ付着板の方向に曲げることができる。ここで放射方向とは、ある点（ここでは発光中心）から四方八方に放射状に伸びる直線の方向のことを意味する。
【００３３】
より詳細な説明を図９（ａ）（ｂ）を用いて説明する。図９（ａ）（ｂ）において、２点鎖線は、隣接する２つのデブリ付着板（発光点を含む所定の軸から放射状に配置されている）を含む平面を示しており、この２つの平面は発光中心を含む平面となっている。その隣接する２つのデブリ付着板を含む２平面の交線を「複数のデブリ付着板の交線」と記載しており、その交線を通る平面を「複数のデブリ付着板交線を含む平面」と記載している。また、この図面で「ＥＵＶ光」と記載している矢印は、ＥＵＶ光の光路を示すと同時に、発光点から飛散するデブリ粒子の、磁場が形成されていない場合の移動軌跡を示している。この図面において、１点鎖線で示したものは、前述の「複数のデブリ付着板の交線」を含む所定の平面であり、この平面内を伝播する３つのＥＵＶ光の光路を図９（ｂ）に示している。この図９（ｂ）において、「実施例１の磁力線」として点線で示したのが、本実施例１の場合のこの平面内を通る磁力線の一例である。勿論、若干外側（発光点から遠ざかる方向）に撓んでいても構わない。この磁力線が、この図面に示した「垂直成分」を含んでいれば、プラズマから放射方向に飛散するデブリ粒子（荷電粒子）の移動軌跡を面（複数のデブリ付着板交線を含む平面）外方向に曲げることができる。面外方向、すなわちデブリ付着板に近づける方向に、デブリ粒子に力（ローレンツ力）を加えて、その移動軌跡を曲げ、その結果、デブリ粒子をデブリ付着板に衝突させれば、少なくともデブリ粒子の運動エネルギーを失わせることができる。最も重要なことは、所定位置における磁力線（のベクトル）が、その所定位置における発光点から放射方向に対して垂直で且つ前述の交線に含まれる方向の成分（ベクトル成分）を含んでいることである。尚、その所定位置とは、隣接する２つのデブリ付着板の間のフィルター間空間か、又はそのフィルター間空間とプラズマとの間であって、且つプラズマとミラーとの間の領域に位置することが望ましい。
【００３４】
デブリフィルター２が配置された空間内の磁場は、必ずしも一定とは限らない。言い換えると、デブリフィルター２の両端（図１で言うと紙面の表側と裏側）に配置されたＮ極とＳ極との間で、すべての磁力線が直線であるとは限らない。そこで、デブリフィルター２内のデブリ付着板（板厚方向とは垂直な面のうち一方、又は板厚方向の中間の面）と磁力線は、２つの磁極の間に形成される磁力線の中心を通る磁力線（又は２つの磁極の中心同士を結ぶ直線）に対して、略平行であれば足りる。ここで言う「略平行」とは、互いになす角度の鋭角側が３０度以下、好ましくは１０度以下であれば良い。これをデブリ付着板の法線と磁力線のなす角度に言い換えると、６０度以上（好ましくは８０度以上）であれば良い、ということになる。
【００３５】
尚、磁場の与え方に関しては様々な変形例が考えられる。例えば、図３に示すような場合である。すなわち、デブリ付着板（デブリフィルター）の一部にのみ磁場を与える場合である。ここでは、その磁場領域をドーナツ型或いはドーナツの一部のような形の領域としているが、この限りではない。但し、デブリ付着部材の一部しか含まないように磁場を与えるようにしたとしても、必ずしも磁場を与えないように意図した領域の磁場の強さ（磁束密度）を０にする必要は無い。すなわち、デブリ付着部材近傍の磁束が、その密度（磁束密度）に分布を持つようにしても構わない。
【００３６】
また、この図３においては、磁場領域（磁石間で挟まれた領域）の発光点に近い側（発光点側）、或いは発光点に遠い側（多層膜ミラー側）に、非磁場領域（磁石間に挟まされていない領域、磁束密度の低い領域）を設けているが、その限りではない。ここで言う非磁場領域は、磁場領域のプラズマ側にだけ設けても構わないし、多層膜ミラー側（プラズマの反対側）にだけ設けても構わない。
【００３７】
（３）（発光点を含む平面内に配置された複数のデブリ付着板のうち）隣接する２つのデブリ付着板は互いに非平行である。
【００３８】
図２で示したように、隣接する第１デブリ付着板（第１平面）と第２デブリ付着板（第２平面）とは互いに非平行に（傾けて）配置されている。この両者のなす角度は０度（好ましくは３度）より大きく、６０度（好ましくは３０度、より好ましくは１０度）より小さいことが望ましい。
【００３９】
以上の（１）〜（３）の条件、特に（１）、（２）の条件を、すべてのデブリ付着板が満足していることが望ましいが、少なくとも複数枚のデブリ付着板が満足していれば足りる。但し、好ましくは複数枚のデブリ付着板のうち半分以上、好ましくは２／３以上がこの条件を満足していると尚良い。また、上記の条件に関連するデブリ付着板とは、厳密には、発光点３と多層膜ミラー４との間の領域内に配置されたデブリ付着板にのみ適用すれば良い。つまり、発光点と多層膜ミラー４との間の領域からは外れた位置に配置されたデブリ付着板（例えば図１の符号１０）に関しては、上記の条件を満足しない配置となっていても構わない。
【００４０】
以上のような（１）（２）（３）を満足するようにデブリフィルターを構成すれば、多層膜ミラー（発光点から出射したＥＵＶ光が初めて入射する光学素子）の反射率（光伝播率）の低下を防ぐことができる。
【００４１】
尚、上記実施例において、磁場は永久磁石を用いて形成しているが、磁場を形成するのは勿論電磁石でも構わないし、その他の磁場を形成する手段でも構わない。
【００４２】
上述の条件は後述の第２実施例にも勿論適用される。
【００４３】
以上のように、各構成要素の配置を考慮した上で、発光点、デブリ付着板、多層膜ミラーについて記載したのが図７、８である。図８は実際に磁場発生手段としての永久磁石（電磁石等でも構わない）を配置したものであり、図７は構成を分かり易く見せるための説明用の図である。ここで、連結部材とは、複数のデブリ付着板を連結するための部材である。この図７、８においては連結部材は線状のものとして記載しているが、勿論板状のものであっても構わないし、それ以外の形状でも良い。但し，この連結部材はＥＵＶ光を遮光しないように構成するのが望ましいので、発光点と多層膜ミラーとの間の領域（ＥＵＶ光の光路中、ＥＵＶ光の光束中）の外側に配置することが望ましい。勿論、発光点と多層膜ミラーとの間の領域に配置しても構わないが、その場合には連結部材が板状であれば、その板状の連結部材は発光点を含む平面内に配置することが望ましい。また、これらの連結部材及び磁石に関しては、図７、８の上方からターゲットを供給する場合には、中央部に孔を開けても構わない。
【００４４】
（第２実施例）
第２実施例を図４を用いて説明する。
第１実施例で記載した（２）の条件によれば、各々のデブリ付着板が各々のデブリ付着板近傍を通る磁力線に対して略平行であれば良いので、例えば、図４のような配置も考えられる。ここで、図４（ａ）、（ｂ）は各々、後段の多層膜ミラーの光軸を含む平面での断面図、前述の光軸と垂直でデブリフィルター２を発光点側から見た図である。ここでは、図４（ｂ）を見れば分かるように、デブリフィルター２が配置された空間において、磁力線が放射状になるように磁石が配置されている。但し、ここでデブリ（荷電粒子）の進行方向と磁力線の方向とのなす角度が、垂直に近ければ近いほど大きなローレンツ力が働くので、その両者のなす角度を９０度に近づけるように磁石やデブリ付着板を配置することが望ましい。具体的には、磁力線（磁束の中心を通る中心磁力線、又は相反する２つの極を持つ磁石の中心同士を結んだ線）と、ＥＵＶ光の軌跡（デブリの最初の進行方向）とのなす角度は、４５度（好ましくは６０度、より好ましくは７０度）以上である。
【００４５】
本実施例ではこのような条件を満足するために、デブリフィルター２の周辺部に配置する磁石（周辺磁石）と、デブリフィルター２の中心部に配置する磁石（中心磁石）とを所定の位置関係で配置している。すなわち、周辺磁石と中心磁石により形成される磁束（中心磁力線）が、多層膜ミラーの光軸に対して傾く（互いになす角度が４５度以上８５度未満、好ましくは８０度未満）ようにしている。言い換えると、周辺磁石の光軸方向の位置と、中心磁石の光軸方向の位置とが、互いに異なるように配置している。より具体的には、周辺磁石は光軸方向（後段の多層膜ミラーの光軸）に関してデブリフィルター２と略同じ位置に配置し、中心磁石はデブリフィルター２よりも発光点から遠い位置に配置している。
【００４６】
このように、第２実施例における磁力線は、リフレクターの光軸上において、発光中心とは異なる位置（点）を中心として放射状に伸びる磁力線とすることが望ましい。さらに言えば、この磁力線がリフレクターの光軸に対して傾いており（垂直でも平行でもない）、その傾き方は光軸から離れるほど、光軸上の位置がプラズマ側に近づくように傾けることが望ましい。
【００４７】
次に、磁場によるデブリ粒子の移動軌跡の変化について検討する。この検討は、第１実施例及び第２実施例の両者に共通であるが、ここでは第１実施例を例にとって説明する。
【００４８】
本実施例を適用した場合、デブリ粒子（荷電粒子）は磁場の影響を受けてある曲率の移動軌跡を描くこととなるが、磁束密度が高いとその曲率半径Ｒは小さくなり、磁束密度が低いとその曲率半径Ｒは大きくなる。Ｒが大きくなり過ぎたり、Ｒが小さくなり過ぎたりすると、本発明の効果が大幅に薄れてしまうため好ましく無い。そこで、曲率半径Ｒ、デブリ付着板の配置や構成について検討を行った。
【００４９】
まず曲率半径Ｒが大きすぎると、デブリ粒子（荷電粒子）の移動軌跡がほとんど曲がらないため、デブリ付着板の間を通り抜けてしまう確率がかなり高くなってしまう。逆に曲率半径Ｒが小さすぎると、デブリ粒子がデブリ付着板の内側（発光点側）で円軌道を描き、そのままデブリ粒子が発光点とデブリ付着板との間で浮遊してしまう。そこで、以下の２つの場合（図５、図６）に関して、適切なＲの範囲を設定することとした。尚、以下の（ア）（イ）においては、磁場は一様な磁場であり、且つデブリ付着板は磁場領域内に配置されているものとした（デブリ付着板が磁場領域外にはみ出さないように配置した）。
【００５０】
（ア）発光点近傍及びデブリ付着板配置領域全域が磁場領域の場合（図５）
この場合において、破線、一点鎖線、二点鎖線で描いたのは、デブリ粒子の移動軌跡である。ここで、曲率半径Ｒが最小の場合のデブリ粒子の移動軌跡は、図５中の破線か一点鎖線のいずれかであるが、ここではより小さい方（破線）について検討を行った。この破線の移動軌跡は、発光点から飛散したデブリ粒子がデブリ付着板の発光点側の端部で捕らえられる場合の移動軌跡である。逆に曲率半径Ｒが最大の場合のデブリ粒子の移動軌跡は、図５中の二点鎖線で示したものである。これは、第２デブリ付着板の発光点側の端部と、その第２デブリ付着板と隣接する第３デブリ付着板の外側（発光点から遠い側、多層膜ミラー側）の端部とを通る（実際にはギリギリですり抜ける）ような軌跡である。
【００５１】
ここで、曲率半径Ｒは以下の条件式（１）で示す範囲であることが望ましい。
【００５２】
【数１】
2007273749.tif 000003
【００５３】
ここで、ｒ１は、各デブリ付着板（の発光点側の端部）と発光点との距離、ｒ２は、各デブリ付着板の多層膜ミラー側（発光点から遠い側）の端部と発光点との距離、θは、発光点を中心とした各デブリ付着板の回転方向の角度間隔である。θは、発光点を含む平面内に配置され、且つデブリフィルター配置位置における磁力線と略平行に配置された複数のデブリ付着板のうち、隣接する２つのデブリ付着板のなす角度（互いの法線同士がなす角度のうち鋭角の方）と考えても良い。
【００５４】
但し、下限値よりも若干小さかったり、上限値より若干大きかったりしたとしても、本発明の効果をある程度は奏することができるものと考える。例えば、磁場領域外に（発光点からの放射方向において）デブリ付着板を（発光点から遠い側に向かって）延長した場合などは、条件式（１）の範囲から若干逸脱していても本発明の効果を奏することは可能である。そこで、条件式（１）は以下の条件式（１−１）や条件式（１−２）としても構わない。
【００５５】
【数２】
2007273749.tif 000004
【００５６】
【数３】
2007273749.tif 000005
【００５７】
（イ）発光点近傍には磁場が付与されておらず、デブリ付着板が配置されている領域にのみ磁場が付与されている場合（図６）
図６においても、曲率半径Ｒが最小の場合のデブリの移動軌跡を破線で、最大の場合のデブリの移動軌跡を二点鎖線で示している。
【００５８】
（ア）の場合と同じく、デブリの曲率半径Ｒに関して検討を行ったところ、曲率半径Ｒが以下の条件式（２）を満たすことが好ましいことが分かった。
【００５９】
【数４】
2007273749.tif 000006
ここで、ｒ１、ｒ２、θは（ア）で説明した通りである。
【００６０】
この条件式（２）に関しても若干下限値を下回る領域や上限値を上回る領域においても、本発明の効果は得られると考えられるため、条件式（２）を以下の条件式（２−１）や条件式（２−２）としても構わない。
【００６１】
【数５】
2007273749.tif 000007
【００６２】
【数６】
2007273749.tif 000008
【００６３】
以上の（ア）（イ）からも分かるように、発光点で発生するデブリ粒子のうち多層膜ミラーに到達するデブリ粒子の数を少なくするためには、デブリ付着板が厚い（発光点からの放射方向における長さが長い）ほど望ましい。但し、発光点近傍は高温になっているため、デブリ付着板を発光点の極近傍まで延長することはできない。また、逆にデブリ付着板を多層膜ミラーの極近傍まで延ばすと、多層膜ミラーで反射したＥＵＶ光を遮光してしまう恐れがあるため、それも避けなければならない。そのような条件の下で、デブリ付着板の大きさや配置と、デブリ粒子の移動軌跡の曲率半径Ｒの値を適切に設定したのが上記の条件式（１）（１−１）（１−２）（２）（２−１）（２−２）である。
【００６４】
これらの条件式を満足するように、磁場の強さ（磁束密度）や磁場の方向（磁力線の方向）を調整するように磁石の位置や強度を調整すれば良い。勿論磁石は電磁石であっても構わないので、その場合は電磁石の配置と電流量を調整すれば良い。
【００６５】
このように磁場の強さを考える際、デブリ付着板で吸着したい対象を明確にし、その荷電粒子（デブリ粒子）に合わせて磁場の強さを調整しても良い。この際の対象とは、多層膜ミラーの反射率の低下を引き起こす大きな要因となるデブリ粒子であったり、デブリとして大量に発生することが予想されるデブリ粒子であったりすれば良い。具体的には、発光点においてレーザーで照射されるターゲットとして供給される材料が錫（すず）の場合は、錫イオンを対象とすれば良いし、キセノンの場合はキセノンイオンを対象とすれば良い。勿論その他の材料が何らかの影響で発光点近傍を浮遊する可能性もありえるので、ターゲット以外の材料を対象としても良い。例えば、錫やキセノン等のターゲット材料を供給する供給管の内壁の材料であったり、デブリ付着板の材料であったり、バッファーガス（アルゴン等の不活性ガス）として供給するガスのイオンであったりしても良い。すなわち、上記のターゲット材料、ターゲット材料を供給する供給管（及びその周囲の部材）の材料、デブリ付着板の材料等の少なくともいずれか１つに関して、上記の条件式を満足するように磁場の強さを設定すれば良い。尚、本実施例においては、発光点やデブリフィルターを囲む空間にバッファーガスを供給する必要は無く、バッファーガスが無くても本実施例は十分に効果が得られる。但し、バッファーガスを供給しても構わないし、バッファーガスを供給すれば、本実施例の効果に加えてバッファーガスの効果が得られ、より多くのデブリ粒子をデブリ付着板で捕捉することが可能となる。
【００６６】
また、上記第１実施例、第２実施例においては、発光中心を通る軸（複数の板状部材を通る平面の交線）を中心として放射状に（中心とした放射方向に沿って）板状部材を配置していた。しかしながら、更に、発光中心を通り、前記軸とは垂直な第２の軸を中心として放射状に複数の板状部材を配置しても良い。つまり、格子状に複数の板状部材を配置するような構成であっても構わない。
【００６７】
ここで、板状部材とは、発光中心に近い側から遠い側にかけて、一定の厚みを持った部材であっても良いし、発光中心に近い側から遠い側にかけて、厚みが増すような構造を持った部材でも構わない。また、放射方向とは、ある点又はある軸を中心として広がる方向を意味しており、全方位で無くても良いし、勿論等間隔（角度）で無くても良い。また、「放射状に配置する」とは、ある点又はある軸を中心として広がる方向に沿って、板状部材を（複数個）配置することである。その板状部材は、ある点又はある軸を中心として、全方位に配置する必要は無いし、等間隔である必要も無いが、複数個（好ましくは３個、より好ましくは１０個以上）の板状部材を配置することが望ましい。
【００６８】
本実施例では光源装置、特にＥＵＶ光源装置について述べたがその限りでは無く、プラズマから光を取り出す光源であれば他の光源装置であっても構わない。
【００６９】
また、本願は、上述の光源装置を用いた露光装置にも適用可能である。すなわち、上述の光源装置からの光を用いてパターン（レチクル、マスク上の形成された）を照明する照明光学系と、そのパターンをウエハ等の被露光体上に（縮小）投影する投影光学系を有する露光装置にも適用可能である。
【００７０】
また、本願は、上述の露光装置を用いたデバイスの製造方法にも適用可能である。すなわち、上述の露光装置を用いて、ウエハ等の被露光体を露光する工程と、その露光された被露光体を現像する工程とを有するデバイスの製造方法にも適用可能である。
【図面の簡単な説明】
【００７１】
【図１】実施例１の概略構成を示す図である。
【図２】実施例１のデブリ粒子の移動軌跡を説明する図である。
【図３】実施例１の変形例を示す図である。
【図４】実施例２の概略構成を示す図である。
【図５】デブリ粒子を捕捉するための磁束密度の計算の説明図である。
【図６】デブリ粒子を捕捉するための磁束密度の計算の説明図である。
【図７】実施例１の磁石の配置について説明する図である。
【図８】実施例１の磁石の配置について説明する図である。
【図９】本実施例を満足する磁力線の方向を説明するための図である。
【図１０】従来技術の説明図である。
【図１１】従来技術の特許文献１の説明図である。
【符号の説明】
【００７２】
１  レーザー（源）
２  デブリフィルター
３  プラズマ（発光点）
４  リフレクター（多層膜ミラー）
７  磁場がない場合のデブリ粒子の流れ、及びＥＵＶ光の光路
８  磁場によって曲げられるデブリ粒子の移動軌跡
９  デブリ付着板
１０  デブリ付着板
【図１】
2007273749.tif 000009
【図２】
2007273749.tif 000010
【図３】
2007273749.tif 000011
【図４】
2007273749.tif 000012
【図５】
2007273749.tif 000013
【図６】
2007273749.tif 000014
【図７】
2007273749.tif 000015
【図８】
2007273749.tif 000016
【図９】
2007273749.tif 000017
【図１０】
2007273749.tif 000018
【図１１】
2007273749.tif 000019